(57)【要約】【課題】  油圧緩衝器との位置決めを簡単且つ、安価に形成できる構造を備えたサスペンション装置のブラケットを提供する。【解決手段】  筒状の本体部１０と、この本体部１０から二股状に延びる一対のアーム部１２とを備え、油圧緩衝器１の下部に設けた取付部４を上記本体部１０に挿入すると共に上記アーム部１２を車輪側部材に連結することにより当該車輪側部材に上記油圧緩衝器１を連結されるサスペンション装置のブラケット２において、上記本体部１０に油圧緩衝器１の上下方向の位置決めを行う上下方向位置決め部１３を設けた。【選択図】        図１
2006231943.tif 000002
【特許請求の範囲】
【請求項１】
筒状の本体部と、この本体部から二股状に延びる一対のアーム部とを備え、油圧緩衝器の下部に設けた取付部を上記本体部に挿入すると共に上記アーム部を車輪側部材に連結することにより当該車輪側部材に上記油圧緩衝器を連結されるサスペンション装置のブラケットにおいて、上記本体部に油圧緩衝器の上下方向の位置決めを行う上下方向位置決め部を設けたサスペンション装置のブラケット。
【請求項２】
上記上下方向位置決め部は本体部の下端から内方に向かって延びるフランジ部であり、このフランジ部の上面と、上記取付部の下面との当接によって上記上下方向の位置決めが行われる請求項1記載のサスペンション装置のブラケット。
【請求項３】
上記フランジ部は本体部の下端全周に亘って設けられている請求項２記載のサスペンション装置のブラケット。
【請求項４】
上記フランジ部はその一部に水抜き孔が穿設されている請求項２、３記載のサスペンション装置のブラケット。
【請求項５】
上記本体部に縦方向に沿う切欠部を形成し、当該切欠部に油圧緩衝器に設けた位置決めピンを挿入することで当該油圧緩衝器の回転方向の位置決めを行う請求項1、２，３又は４記載のサスペンション装置のブラケット。
【発明の詳細な説明】
【技術分野】
【０００１】
本発明は、車両用サスペンションに油圧緩衝器を連結するためのブラケットの構造に関する。
【背景技術】
【０００２】
従来から、この種のブラケットとしては、特許文献１に示すものを例示することができる。
【０００３】
このブラケットは、油圧緩衝器の下端の設けた取付部を嵌合した状態で車輪側部材としてのナックル部材に揺動可能に連結されるものであって、例えば、図４に示すように、上記取付部２２が嵌合される筒状に形成されると共に、その一部に切欠部２６を有する断面Ｃ字状の本体部２７と、この本体部２７から二股状に延びる一対のアーム部２８とから構成され、このアーム部２８が上記ナックル部材（図示なし）に揺動可能に連結されている。
【０００４】
又、上記取付部２２には板材を溶接固定した位置決め部材２３が設けられる共に、この位置決め部材２３には下方に向かって延びる三角形状の係止突起２４が一体的に形成されている。
【０００５】
従って、このように構成されたブラケット２５の上記本体部２７に油圧緩衝器の取付部２２を嵌合させると、この本体部２７の上面２７ａと位置決め部材２３の下面２３ａとが当接して図４の矢印Ｘで示す上下方向の位置決めがなされると共に、この位置決め部材２３に設けた係止突起２４が上記切欠部２６に挿入されて係止されることで、同じく図４のＹで示す回転方向への位置決めがなされるようになっている。
【０００６】
尚、ここで、上記回転方向とは油圧緩衝器の軸線を回転中心とした回転を示している。
【特許文献１】特開平５-２５４３１８号公報（図１，図４，図６）
【発明の開示】
【発明が解決しようとする課題】
【０００７】
上記のように構成された油圧緩衝器においては、特に問題がある訳ではないが、次に示すような問題点の発生が考えられる場合がある。
【０００８】
即ち、ブラケット２５に対する油圧緩衝器の上下方向及び回転方向への位置決めを行う位置決め部材２３が、この油圧緩衝器に設けた取付部２２に対して溶接により固定されているので、その溶接工程に大掛かりな装置が必要となる。
【０００９】
又、取付部２２に対する位置決め部材２３の溶接強度を確保するには充分な溶接時間を必要とし、その分、溶接時間が長くなって製造コストが嵩む。
【００１０】
更には、油圧緩衝器はその内部にピストン等の摺動部材が配置されているので、上記した溶接時の熱による影響を考慮した設計をしなければならず、設計コストも嵩む。
【００１１】
そこで、本発明は、上記の問題点を解決するために創案されたものであって、その目的は、油圧緩衝器との位置決めを簡単且つ、安価に形成できる構造を備えたサスペンション装置のブラケットを提供することである。
【課題を解決するための手段】
【００１２】
上記の目的を達成するため、本発明は、筒状の本体部と、この本体部から二股状に延びる一対のアーム部とを備え、油圧緩衝器の下部に設けた取付部を上記本体部に挿入すると共に上記アーム部を車輪側部材に連結することにより当該車輪側部材に上記油圧緩衝器を連結されるサスペンション装置のブラケットにおいて、上記本体部に油圧緩衝器の上下方向の位置決めを行う上下方向位置決め部を設けたことを特徴とするものである。
【発明の効果】
【００１３】
本発明によれば、ブラケットに油圧緩衝器の取付部を取り付けると、ブラケットに形成された上下方向位置決め部によって油圧緩衝器のブラケットに対する上下方向の位置決めがなされる。
【００１４】
このとき、上記上下方向位置決め部をブラケット側に設けたので、油圧緩衝器を製造する際、従来例のような大掛かりな溶接工程を省くことができ、その分、製造コストを削減して簡単に製造できるばかりでなく、油圧緩衝器を設計する際にも溶接を考慮した設計をする必要がなくなる。
【００１５】
又、本体部の下端に一体的に設けたフランジ部を上下方向位置決め部とした場合には、ブラケットに対する最小の変更で具体化が可能となるので、ブラケット自体も簡単な構成で安価に製造することができる。
【発明を実施するための最良の形態】
【００１６】
以下に、本発明を自動車のサスペンション装置に単筒型の油圧緩衝器を取り付けるためのブラケットに具体化した実施の形態を図に基づいて説明する。
【００１７】
図１は、本発明のブラケット２に油圧緩衝器１を取り付けた状態を示しており、油圧緩衝器１は、シリンダ３の下端に取付部としての取付筒部４が設けられると共に、この取付筒部４に嵌合された上記ブラケット２を介して車輪側部材としての図示しないナックル部材に揺動可能に連結されるようになっている。
【００１８】
以下、詳述すると、上記取付筒部４は、全体が鍛造等で有底筒状に形成され、その開口端部に上記シリンダ３の下端を嵌合し、この嵌合部分に溶接等を施すことで両者を一体的に固定している。
【００１９】
上記取付筒部４の中央部には、円筒状の凹部（図番なし）が設けられており、この凹部には円柱状の位置決めピン８が嵌合されており、この位置決めピン８が後述するブラケット２の本体部１０に縦方向に沿って形成した切欠部１１に挿入されることで、油圧緩衝器１の回転方向（図１の矢印Ｙで示す）の位置決めを行うようになっている。
【００２０】
上記ブラケット２は、上記取付筒部４が嵌合される筒状に形成されると共に、その一部に切欠部１１を有する断面Ｃ字状の本体部１０と、この本体部１０から二股状に延びる一対のアーム部１２とを供え、このアーム部１２が上記ナックル部材（図示なし）に揺動可能に連結されている。
【００２１】
上記切欠部１１は、上記位置決めピン８の直径と略同一の幅に形成されており、この切欠部１１に位置決めピン８を挿入すると、この位置決めピン８が左右方向へ移動しないようになっている。
【００２２】
上記本体部１０の切欠部１１を除く下端全周には、図２，３に示すように、内方に向かって延びる上下方向位置決め部としてのフランジ部１３が一体的に形成されており、このフランジ部１３の上面１３ａと、上記取付筒部４の下面４ａとの当接によって上記油圧緩衝器１のブラケット２に対する上下方向（図１の矢印Ｘで示す）の位置決めがなされるようになっている。
【００２３】
従って、ブラケット２の上記本体部１０に油圧緩衝器１の取付筒部４を挿入すると、この本体部１０のフランジ部１３の上面１３ａと、取付筒部４の下面４ａとが当接して上記上下方向の位置決めがなされると共に、上記位置決めピン８が上記切欠部１１に挿入されることで、同じく上記回転方向への位置決めがなされるようになっている。
【００２４】
又、上記フランジ部１３には下方に向かって穿設された水抜き孔１４が複数個所定間隔をおいて設けられており、サスペンションの使用状態においてこのフランジ部１３に雨水、泥水等が溜まらないようになっている。
【００２５】
上記のように構成されたブラケット２においては、その本体部１０に油圧緩衝器１の取付筒部４を挿入すると、この本体部１０に設けたフランジ部１３の下面１３ａと取付筒部４の下面４ａとが当接して上下方向の位置決めがなされると共に、上記位置決めピン８が上記切欠部１１に挿入されることで、回転方向への位置決めがなされる。
【００２６】
このとき、上記フランジ部６を取付筒部４と一体的に設けたので、従来例のような油圧緩衝器１側に設ける必要がなくなり、その際必要とした大掛かりな溶接装置を不要とすることができる。
【００２７】
従って、その分、製造コストを削減して安価に油圧緩衝器１を製造することができるばかりでなく、油圧緩衝器１を設計する際、この溶接を考慮した設計も必要なくなるので、余分な設計コストも削減できる。
【００２８】
特に、本実施の形態で示したような単筒型の油圧緩衝器１では、シリンダ３の内周面をフリーピストンやピストンが摺動するので、上記の溶接工程を省くことはコスト上及び設計上、大変有効である。
【００２９】
又、本体部１０の下端に一体的に設けたフランジ部１３で当該本体部１０に対する油圧緩衝器１の上下方向位置決めが可能となるので、ブラケット２自体も簡単な構成で安価に製造することができる。
【００３０】
又、上記フランジ部１３を取付筒部４の全周に亘って設けたので、ブラケット２側から加わる力を油圧緩衝器１の取付筒部４全体で分散して受けることができる。
【００３１】
従って、油圧緩衝器１に偏荷重が加わることでフリーピストンやピストンロドのスムーズな進退動作を妨げると言った虞を確実に防止できる。
【００３２】
又、上下方向位置決め部としてのフランジ部１３と、回転方向位置決め部としての凹部及び位置決めピン８を夫々別部材としたので、互いの機能に合わせた最適の設計を行うことができる。
【００３３】
又、上記フランジ部１３に水抜き孔１４を複数個所定間隔をおいて設けたので、サスペンションの使用状態においてこのフランジ部１３に雨水、泥水等が溜まるのを防止でき、この水等に起因する錆等の発生を防止することができる。
【００３４】
尚、本発明は、上記実施の形態に限定されるものではなく、例えば、次のように変更して具体化することも可能である。
【００３５】
１）本実施の形態では、フランジ部１３を本体部１０の下端全周に設けたが、これに限定されるものではなく、部分的に形成しても良い。また、フランジ部１３の形成位置も必ずしも下端にする必要はない。
【００３６】
２）本実施の形態では、フランジ部１３と本体部１０とを一体的に設けたが、これに限定されるものではなく、フランジ部１３を別部材で形成して本体部１０に取り付けるようにしても良い。
【００３７】
３） 本本実施の形態では、フランジ部１３に水抜き孔１４を設けたが、これに限定されるものではなく、フランジ部１３自体に水が抜ける工夫（傾斜面等）を行えば、必ずしも必要はない。
【００３８】
４）本実施の形態では、単筒型の油圧緩衝器１に取り付けられるサスペンションのブラケット２に具体化したが、複筒型の油圧緩衝器１に取り付けられるサスペンションのブラケット２に具体化しても良い。
【図面の簡単な説明】
【００３９】
【図１】本発明の実施の形態を示すブラケットに油圧緩衝器を取り付けた状態を示す一部破断正面図である。
【図２】図１において、ブラケット部分を拡大して示す部分破断断面図である。
【図３】ブラケットの平面図である。
【図４】従来例を示し、ブラケットに油圧緩衝器を取り付けた状態を示す一部破断正面図である。
【符号の説明】
【００４０】
１  油圧緩衝器
２  ブラケット
４  取付部（取付筒部）
８  位置決めピン
１０  本体部
１１  切欠部
１２  アーム部
１３  フランジ部（上下方向位置決め部）
【図１】
2006231943.tif 000003
【図２】
2006231943.tif 000004
【図３】
2006231943.tif 000005
【図４】
2006231943.tif 000006